(57)【特許請求の範囲】
【請求項１】
軒天井の下面と外壁材の上端部に配設された見切り縁との間の隙間に配設される通気部材であって、
通気孔が設けられた起立部と、
この起立部の下端から前後方向に屈曲して延びる弾発係止部と、
前記起立部の上端から、前方へ延びる軒天井当接部と、
この軒天井当接部の前方端部から下方に延びる化粧部と、
を備えることを特徴とする通気部材。
【請求項２】
前記弾発係止部は、前記起立部の下端から前方斜め下方向へ延びる傾斜部と、この傾斜部の前方端部から後方へ延びる折り曲げ部とを備えることを特徴とする請求項１に記載の通気部材。
【請求項３】
前記弾発係止部の折り曲げ部には、下方へ突出するリブが設けられていることを特徴とする請求項２に記載の通気部材。
【請求項４】
前記軒天井当接部には、上方へ突出する引掛け部が設けられていることを特徴とする請求項１から３のいずれか一項に記載の通気部材。
【請求項５】
前記化粧部には、排気孔が設けられていることを特徴とする請求項１から４のいずれか一項に記載の通気部材。
【請求項６】
軒天井の下面と外壁材の上端部に配設された見切り縁との間の隙間への通気部材の取付構造であって、
通気孔が設けられた起立部と、
この起立部の下端から前後方向に屈曲して延びる弾発係止部と、
前記起立部の上端から、前方へ延びる軒天井当接部と、
この軒天井当接部の前方端部から下方に延びる化粧部と、
を備える通気部材が前記隙間に挿入されており、前記弾発係止部の弾発力によって、前記見切り縁に前記弾発係止部が圧接されるとともに、軒天井の下面に前記軒天井当接部が圧接されていることを特徴とする通気部材の取付構造。
【請求項７】
前記見切り縁は、上面部と、この上面部の後方端部から下方に延びる胴縁当接片と、前方端部から下方に延びる押え片とを有する断面略コ字状であるとともに、前記上面部には、内側へ凹む溝条部が設けられており、
前記通気部材の弾発係止部は、前記起立部の下端から前方斜め下方向へ延びる傾斜部と、この傾斜部の前方端部から後方へ延びる折り曲げ部とを備えるとともに、この折り曲げ部には、下方へ突出するリブが設けられており、
前記隙間に挿入された前記通気部材は、前記折り曲げ部のリブが前記見切り縁の上面部の溝条部に嵌合していることを特徴とする請求項６に記載の通気部材の取付構造。
【発明の詳細な説明】
【技術分野】
【０００１】
本発明は、通気部材とその取付構造に関する。
【背景技術】
【０００２】
本出願人は、例えば、特許文献１において、外壁材の上端部と軒天井の間に配設される見切り縁として、通気孔を備えたものを提案している。この見切り縁は、壁下地の外側の通気路と通気孔を連通させることで、通気路内に流入した外気が通気孔から屋外へ排気される構造とされている。
【０００３】
また、本出願人は、特許文献２において、通気孔を備えたカバー材の嵌合凹部にベース材の嵌合凸部が嵌合することによりカバー材がベース材に嵌着する通気軒天井見切り縁を提案している。この通気軒天井見切り縁においては、通気孔によって十分な排気性能が確保されているのみならず、カバー材の取付けがいわゆるワンタッチ式で行うことができるため、カバー材の取付作業が容易となっている。
【先行技術文献】
【特許文献】
【０００４】
【特許文献１】実開昭６１−１７７１０２号公報
【特許文献２】特開２００８−２９５６５号公報
【発明の概要】
【発明が解決しようとする課題】
【０００５】
しかしながら、特許文献１の見切り縁は、取り付け凹所に釘のような固着具を打ち込むことで見切り縁を外壁材に取付ける構造となっている。このため、見切り縁の取付作業においては、見切り縁の上端部を軒天井に当接させた状態で固着具の打ち込みを行う必要があり、施工が容易であるとは言い難かった。さらに、このような取付作業を伴う場合、施工後の見切り縁の上端部と軒天井の下面と間の水密性を確保することが必ずしも容易でなく、検討の余地があった。
【０００６】
一方、特許文献２の通気軒天井見切り縁は、胴縁に取付固定されたベース材の嵌合凸部にカバー材の嵌合凹部を嵌着する構造であるため、カバー材の取付固定には、所定の位置へ高い精度で取付けることが重要である。カバー材が所定の取付位置に正確に取付けられていない場合には、通気軒天井見切り縁と軒天井との間の水密性を確保することが必ずしも容易でなかった。このため、引用文献２の通気軒天井見切り縁は、その施工容易性の面においては検討の余地があった。
【０００７】
そこで、軒天井の下方における通気性を確保するための工夫として、外壁材の上端部に配設される見切り縁とは別部材の通気部材を採用することで、施工容易性と、軒天井の下面における水密性を確保することが考えられた。
【０００８】
本発明は、以上のとおりの事情に鑑みてなされたものであり、施工が容易であり、軒天井の下面における水密性を確実に確保することができる通気部材とその取付構造を提供することを課題としている。
【課題を解決するための手段】
【０００９】
上記の課題を解決するために、本発明の通気部材は、軒天井の下面と外壁材の上端部に配設された見切り縁との間の隙間に配設される通気部材であって、通気孔が設けられた起立部と、この起立部の下端から前後方向に屈曲して延びる弾発係止部と、前記起立部の上端から、前方へ延びる軒天井当接部と、この軒天井当接部の前方端部から下方に延びる化粧部とを備えることを特徴とする。
【００１０】
この発明においては、前記弾発係止部は、前記起立部の下端から前方斜め下方向へ延びる傾斜部と、この傾斜部の前方端部から後方へ延びる折り曲げ部とを備えることが好ましい。
【００１１】
この発明においては、前記弾発係止部の折り曲げ部には、下方へ突出するリブが設けられていることが好ましい。
【００１２】
この発明においては、前記軒天井当接部には、上方へ突出する引掛け部が設けられていることが好ましい。
【００１３】
この発明においては、前記化粧部には、排気孔が設けられていることが好ましい。
【００１４】
本発明の通気部材の取付構造は、軒天井の下面と外壁材の上端部に配設された見切り縁との間の隙間への通気部材の取付構造であって、通気孔が設けられた起立部と、この起立部の下端から前後方向に屈曲して延びる弾発係止部と、前記起立部の上端から、前方へ延びる軒天井当接部と、この軒天井当接部の前方端部から下方に延びる化粧部とを備える通気部材が前記隙間に挿入されており、前記弾発係止部の弾発力によって、前記見切り縁に前記弾発係止部が圧接されるとともに、軒天井の下面に前記軒天井当接部が圧接されていることを特徴としている。
【００１５】
この発明においては、前記見切り縁は、上面部と、この上面部の一端から下方に延びる胴縁当接片と、他端から下方に延びる押え片とを有する断面略コ字状であるとともに、前記上面部には、内側へ凹む溝条部が設けられており、前記通気部材の弾発係止部は、前記起立部の下端から前方斜め下方向へ延びる傾斜部と、この傾斜部の前方端部から後方へ延びる折り曲げ部とを備えるとともに、この折り曲げ部には、下方へ突出するリブが設けられており、前記隙間に挿入された前記通気部材は、前記折り曲げ部のリブが前記見切り縁の上面部の溝条部に嵌合していることが好ましい。
【発明の効果】
【００１６】
本発明の通気部材によれば、施工が容易であり、軒天井の下面における水密性を確実に確保することができる。
【図面の簡単な説明】
【００１７】
【図１】本発明の通気部材の第１の実施形態を例示した斜視図である。
【図２】外壁材の上端部に配設される見切り縁の一実施形態を例示した斜視図である。
【図３】（Ａ）は、図１に例示した通気部材の取付前の状態を例示した断面図である。（Ｂ）は、図１に例示した通気部材の取付状態を例示した断面図である。
【図４】（Ａ）本発明の通気部材の第２の実施形態を例示した断面図である。（Ｂ）は、（Ａ）に例示した通気部材の取付構造を例示した断面図である。
【図５】（Ａ）は、本発明の通気部材の第３の実施形態を例示した断面図である。（Ｂ）は、（Ａ）に例示した通気部材の取付構造を例示した断面図である。
【図６】（Ａ）は、本発明の通気部材の第４の実施形態を例示した断面図である。（Ｂ）は、（Ａ）に例示した通気部材の取付構造を例示した断面図である。
【図７】（Ａ）（Ｂ）は、本発明の通気部材における弾発係止部の別の実施形態を例示した部分拡大断面図である。
【発明を実施するための形態】
【００１８】
図１は、本発明の通気部材の第１の実施形態を例示した斜視図である。
【００１９】
通気部材１は、金属薄板によって折り曲げ成形された長尺な部材である。金属薄板としては、折り曲げ、打ち抜き、切り込み等の加工が容易な厚さを有する鋼板、アルミニウム板等が例示される。
【００２０】
通気部材１は、起立部２と、弾発係止部３と、軒天井当接部４と、化粧部５とを備えており、通気部材１の内側には、これらの各部によって囲まれた排気空間Ｘが形成されている。なお、この発明においては、「後方」とは、通気部材１の施工後の位置関係における壁下地側をいい、「前方」とは、通気部材１の施工後の位置関係における屋外側をいう。
【００２１】
起立部２は、略垂直に立ち上がって形成されており、長手方向に沿って間欠的に通気孔２１が設けられている。通気孔２１は、起立部２を前後に貫通しており、長尺方向に長く開口している。通気孔２１の長手方向の両縁は、上縁２１aから下縁２１bに向かって内方へ切り込んだ形状とされている。起立部２には、通気孔２１を前方より覆うルーバー２２が設けられている。ルーバー２２は、通気孔２１の形状に対応しており、通気孔２１の上縁２１aから下縁２１bに亘って下縁２１bを起点として金属薄板を前方へ押し広げることによって形成されている。したがって、ルーバー２２は上方に略長方形状の開口部２２aを有し、通気間隙Ｙを形成しつつ通気孔２１の前方を覆っており、通気間隙Ｙと通気孔２１は連通した状態となっている。通気孔２１は、ルーバー２２によって覆われ、開口部２２aは上方に開口しているため、通気孔２１への雨水の侵入、害虫や小動物等の侵入が抑制される。
【００２２】
起立部２の下端からは、前後方向に屈曲して延びる弾発係止部３が延びている。弾発係止部３は、起立部２の下端から前方斜め下方向へ延びる傾斜部３１と、この傾斜部３１の前方端部から後方へ、略水平に延びる折り曲げ部３２とを有している。折り曲げ部３２の中央付近には、下方へ突出する山状のリブ３２aが設けられている。折り曲げ部３２の後方端部は、起立部２の後方付近まで延び、上方に折り返されて折り重ねられている。弾発係止部３は、傾斜部３１と折り曲げ部３２によって弾発力が確保されている。傾斜部３１と折り曲げ部３２の間には空間が形成されており、下方からの押圧力によって、折り曲げ部３２と傾斜部３１が、図中矢印に示すように接近することで変形可能とされている。そして、この弾発係止部３の変形に反発して弾発力が生じるように形成されている。
【００２３】
起立部２の上端からは、起立部２から前方に向かって、略水平な軒天井当接部４が延びている。軒天井当接部４の前方端部４aは、弾発係止部３の傾斜部３１の前方端部３１Ａよりも長く形成されている。軒天井当接部４には、略コ字状の切り込みＴが設けられ、切り込みＴの内側の金属薄板が上方に立ち上げられて引掛け部４１が形成されている。引掛け部４１は略長方形であり、前方側が斜め上方に立ち上がっている。引掛け部４１は、通気部材１の長手方向に間欠的に設けられている。
【００２４】
軒天井当接部４の前方端部４aからは、下方へ向かって略垂直な化粧部５が延びている。化粧部５の下端部は、弾発係止部３の折り曲げ部３２の位置よりも下方まで延び、前方から起立部２および弾発係止部３を覆っている。化粧部５の下端部は内側上方に向かって折り返されて折り重ねられている。化粧部５には、縦長楕円形の排気孔５１が複数設けられている。排気孔５１は、通気部材１の長手方向に間欠的に設けられており、化粧部を前後方向に貫通し、起立部２の通気孔２１および排気空間Ｘと連通している。化粧部５の表面には凹凸はなく（排気孔５１を除く）、フラットに形成されている。
【００２５】
図２は、外壁材の上端部に配設される見切り縁の一実施形態を例示した斜視図である。この見切り縁は、本発明の通気部材を配設する際に好ましく使用することができる。
【００２６】
見切り縁６は、金属薄板によって折り曲げ成形された長尺な部材である。見切り縁６は、上面部６１と、この上面部６１の後方端部から下方に延びる胴縁当接片６２と、前方端部から下方に延びる押え片６３とを有する断面略コ字状に形成されている。
【００２７】
胴縁当接片６２は、押え片６３よりも下方にやや長く形成されており、胴縁当接片６２の下端は、上方内側に折り返して折り重ねられている。押え片６３の下端は、後方上側に延びる屈曲部６３aが形成されている。胴縁当接片６２と押え片６３の間の間隔（上面部６１の幅方向長さ）は、施工される外壁材の厚さと対応している。
【００２８】
見切り縁６の上面部６１には、略中央に、下方へ凹む略Ｖ字状の溝条部６１aが形成されている。この溝条部６１aは、図１で例示した通気部材１における折り曲げ部３２のリブ３２aの形状、配設位置と対応している。
【００２９】
図３（Ａ）は、図１に例示した通気部材の取付前の状態を例示した断面図である。
【００３０】
壁下地Ｈには、複数の胴縁７が固着具Ｆ１、Ｆ２によって取付固定されている。隣接する胴縁７同士は所定の間隔で配置されており、胴縁７同士の間の空間は通気空間Ｗとして機能する。胴縁７の前面には、胴縁当接片６２が当接した状態で見切り縁６が取付固定されている。見切り縁６の内部には外壁材８の上端部８１が挿入された状態で固定されており、見切り縁６の押え片６３の屈曲部６３aによって、外壁材８の前面側が押さえられ、保持されている。軒天井Ｒの下面と見切り縁６の上面部６１との間には隙間Ｂが形成されている。
【００３１】
外壁材８を取付ける手順としては、まず、見切り縁６を固着具Ｆ１で固定する。見切り縁６の取付固定の上下位置を調整することで、隙間Ｂの上下方向の長さを、図１に例示した通気部材１の上下方向長さ（軒天井当接部４と弾発係止部３の折り曲げ部３２と間の長さ）に対応させることができる。そして、この見切り縁６の内部に外壁材８の上端部８１を挿入し、固着具Ｆ２によって外壁材８を固定する。固着具Ｆ２は、例えば、見切り縁６の押え片６３が上方へ広げられた状態で打ち込むことができる。見切り縁６の押え片６３は、その後、折り曲げられて外壁材８の上端部８１と当接させることができる。外壁材８と見切り縁６の上面部６１との間隔を調整することで外壁材８の上下位置を調整することができる。なお、外壁材８は、金属系外壁材の他、セメント板等の無機系外壁材を適宜使用することができる。
【００３２】
図３（Ｂ）は、図１に例示した通気部材の取付状態を例示した断面図である。
【００３３】
そして、通気部材１は、軒天井当接部４が軒天井Ｒの下面と当接し、弾発係止部３の折り曲げ部３２が見切り縁６の上面部６１と当接しながら、軒天井Ｒの下面と外壁材８の上端部８１に配設された見切り縁６との間の隙間Ｂに後方側へ挿入される。通気部材１を隙間Ｂに押し込む際に、通気部材１は、弾発係止部３の弾発力によって、隙間Ｂの上下方向の長さに対応して収縮して隙間Ｂの内部に押し込まれる。具体的には、例えば、弾発係止部３の傾斜部３１の傾斜角度の縮小や、傾斜部３１と折り曲げ部３２の間の空間の縮小等の変形が生じ、この変形に伴う上下方向の弾発力が発揮される。
【００３４】
通気部材１を隙間Ｂに挿入すると、弾発係止部３を形成する折り曲げ部３２のリブ３２aと見切り縁６の溝条部６１aとが一致した位置で、弾発係止部３の弾発力によって、折り曲げ部３２のリブ３２aと見切り縁６の溝条部６１aとが嵌合する。このため、通気部材１は、釘などの固着具を使用せずとも、ワンタッチ式で隙間Ｂに取付可能である。また、通気部材１は、弾発係止部３を有するため、外壁材８の上端部８１に配設される見切り縁６の取付位置が多少不正確な場合にも、弾発係止部３の弾発力による上下方向の伸縮によってその取付位置に対応することができる。このため、見切り縁６の取付作業において必ずしも高い精度が要求されないため、施工が容易となっている。さらに、通気部材１は、弾発係止部３の弾発力によって、見切り縁６に弾発係止部３が圧接されるとともに、軒天井Ｒの下面に軒天井当接部４が圧接されるため、軒天井Ｒの下面における水密性を確実に確保することができる。また、化粧部５は、フラットに形成され、略垂直に垂下しているため見栄えが良く、加工も容易となっている。
【００３５】
さらに、通気部材１は、一旦、折り曲げ部３２のリブ３２aと見切り縁６の溝条部６１aとが嵌合すると、弾発係止部３の弾発力によって下向きの力が作用するため、嵌合は解除され難く、通気部材１の脱落が抑制される。さらに、通気部材１の軒天井当接部４には、前方側が立ち上がる引掛け部４１が設けられている。引掛け部４１は、通気部材１の挿入時には妨げにならず、通気部材１の挿入後には、軒天井Ｒに当接し、いわゆるかえしの機能を発揮する。このため、一旦、隙間Ｂに挿入された通気部材１は、隙間Ｂからの脱落が抑制される。
【００３６】
図３（Ｂ）の矢印に例示したように、一般的に、胴縁７同士の間に形成された通気空間Ｗでは、土台側から軒天井Ｒの方向に壁下地Ｈに沿って空気が流れる。そして、この空気は、通気部材１の起立部２の通気孔２１からルーバー２２内部の通気間隙Ｙを通じて通気部材１の排気空間Ｘに流れ、化粧部５の排気孔５１から屋外へ排気される。ルーバー２２は、起立部２の通気孔２１を前方から覆うように配設されているため、排気方向が空気の流れに沿いやすく、空気をよどみなくほぼストレートに排気孔５１から排気することができる。
【００３７】
図４（Ａ）は、本発明の通気部材の第２の実施形態を例示した断面図である。図４（Ｂ）は、図４（Ａ）に例示した通気部材の取付構造を例示した断面図である。第１の実施形態と共通する部分には、同一の符号を付し、以下では説明を省略する。
【００３８】
通気部材１は、化粧部５に排気孔が設けられておらず、通気部材１の軒天井当接部４が、第１の実施形態と比較して前後方向に長く形成されている。このため、化粧部５と弾発係止部３の傾斜部３１の前方端部３１Ａとの間の間隔が大きく形成されている。図４（Ｂ）の矢印に例示したように、胴縁７同士の間の通気空間Ｗを土台側から軒天井Ｒの方向に流れる空気は、起立部２の通気孔２１からルーバー２２内部の通気間隙Ｙを通じて通気部材１の排気空間Ｘに流れる。続いて、排気空間Ｘからの空気は、化粧部５と弾発係止部３の傾斜部３１の前方端部３１Ａとの間の隙間から屋外へ排気される。
【００３９】
図５（Ａ）は、本発明の通気部材の第３の実施形態を例示した断面図である。図５（Ｂ）は、図５（Ａ）に例示した通気部材の取付構造を例示した断面図である。第１の実施形態と共通する部分には、同一の符号を付し、以下では説明を省略する。
【００４０】
通気部材１の化粧部５は、下端から内側上方へ折り曲げられた内向き部５２を備えている。内向き部５２は、通気部材１の取付後に見切り縁６の押え片６３と当接するように形成されている。また、排気孔５１は、化粧部５の下端付近から内向き部５２に亘るコーナー部Ｃに設けられている。このため、強風等によっても雨水が排気孔５１に吹き込みにくくなっている。また、仮に雨水が排気孔５１の内部に吹き込んだ場合にも、雨水は内向き部５２の傾斜に沿って下方に流れて排気孔５１から流出するため、通気部材１の内部に雨水が滞まりにくく、通気部材１の腐蝕等が抑制される。胴縁７同士の間の通気空間Ｗを土台側から軒天井Ｒの方向に流れる空気は、起立部２の通気孔２１からルーバー２２内部の通気間隙Ｙを通じて通気部材１の排気空間Ｘに流れる。そして、排気空間Ｘからの空気は、化粧部５の排気孔５１から屋外へ排気される。
【００４１】
図６（Ａ）は、本発明の通気部材の第４の実施形態を例示した断面図である。図６（Ｂ）は、図６（Ａ）に例示した通気部材の取付構造を例示した断面図である。第１の実施形態と共通する部分には、同一の符号を付し、以下では説明を省略する。
【００４２】
通気部材１の化粧部５は、下端から内側上方へ折り曲げられた内向き部５２を備えている。さらに、内向き部５２の先端には、略直角方向に突出する羽部５２aが形成されている。内向き部５２は、その先端が見切り縁６の押え片６３と当接するように形成されている。また、排気孔５１は、化粧部５の下端付近から内向き部５２に亘るコーナー部Ｃに設けられている。このため、強風等によっても雨水が排気孔５１に吹き込みにくくなっている。また、仮に雨水が排気孔５１の内部に吹き込んだ場合にも、雨水は内向き部５２の傾斜に沿って下方に流れて排気孔５１から流出するるため、通気部材１の内部に雨水が滞まりにくく、通気部材１の腐蝕等が抑制される。胴縁７同士の間の通気空間Ｗを土台側から軒天井Ｒの方向に流れる空気は、起立部２の通気孔２１からルーバー２２内部の通気間隙Ｙを通じて通気部材１の排気空間Ｘに流れる。羽部５２aが通気部材１の排気空間Ｘに立ち上がって形成されているため、排気空間Ｘにおいて空気の流れが複雑化して化粧部５の排気孔５１から屋外へ排気される。このため、一層、雨水が排気孔５１に吹き込みにくくなっている。
【００４３】
図７（Ａ）（Ｂ）は、本発明の通気部材における弾発係止部の別の実施形態を例示した部分拡大断面図である。本発明の通気部材には、例えば、図７（Ａ）（Ｂ）に例示した形態も含まれる。
【００４４】
図７（Ａ）に例示した形態では、弾発係止部３は、起立部２の下端から後方斜め下へ向かって傾斜部３１が延びている。傾斜部３１の前方端部からは、前方方向へ折り曲げられて折り曲げ部３２が形成されている。折り曲げ部３２は、略水平に形成されており、略中央には、下方へ突出するリブ３２aが設けられている。折り曲げ部３２の後方端部は上方へ折り畳まれている。この形態によっても、弾発係止部３による上下方向の弾発力が良好に発揮される。このため、ワンタッチ式で通気部材１を取付可能であり、見切り縁の取付位置のズレなどに対応できるため施工容易であり、軒天井の下面における水密性を確保することができる。
【００４５】
図７（Ｂ）に例示した形態では、弾発係止部３は、起立部２の下端から第１の傾斜部３１aと、第２の傾斜部３１bが延びている。第１の傾斜部３１aは、起立部２の下端から前方斜め下へ向かって延びている。さらに、第２の傾斜部３１bは、第１の傾斜部３１aの前方端部から後方斜め下へ向かって延びている。第２の傾斜部３１bの後方端部からは、前方へ向かって略水平に延びる折り曲げ部３２が形成されている。折り曲げ部３２は、略水平に形成されており、略中央には、下方へ突出するリブ３２aが設けられている。折り曲げ部３２の前方端部は上方へ折り畳まれている。このような形態の弾発係止部３によっても、上下方向の弾発力が良好に発揮される。ワンタッチ式で通気部材１を取付可能であり、見切り縁の取付位置のズレなどに対応できるため施工容易であり、軒天井の下面における水密性を確保することができる。
【００４６】
本発明の通気部材およびその取付構造は以上の形態に限定されるものではない。例えば、通気孔、排気孔の形状、大きさ等は適宜設計することができる。また、軒天井当接部の引掛け部や、弾発係止部の折り曲げ部のリブの形状、大きさ等も適宜設計することができる。さらに、軒天井当接部は、軒天井の下面の傾斜に応じて傾斜させて形成することもでき、これによって、例えば、切妻屋根の軒天井の下方にも通気部材を取付けることができる。
【符号の説明】
【００４７】
１    通気部材
２    起立部
２１  通気孔
３    弾発係止部
３１  傾斜部
３２  折り曲げ部
３２a リブ
４    軒天井当接部
４１  引掛け部
５    化粧部
５１  排気孔
６    見切り縁
６１  上面部
６１a 溝条部
６２  胴縁当接片
６３  押え片
８    外壁材
Ｂ    隙間
Ｒ    軒天井
【図１】
0005507491.tif 000002
【図２】
0005507491.tif 000003
【図３】
0005507491.tif 000004
【図４】
0005507491.tif 000005
【図５】
0005507491.tif 000006
【図６】
0005507491.tif 000007
【図７】
0005507491.tif 000008